(57)【要約】【課題】  外装ケースに配置されるフロントボタンを表示面と同じ高さ、あるいは、表示面よりも低くすると共に、簡単な構成で裏蓋を閉めなくてもスイッチ基板を固定できるようにすること。【解決手段】  スイッチばね８は、電池９が収納された電池収納凹部からスイッチ基板１３の下面の外側まで平面的に延伸され、更にスイッチ基板１３の外側において上側に直角に曲げられた弾性端部を有する。スイッチばね８の前記弾性端部にはフック係止窓８ａが形成され、樹脂製の電池枠５にはフック５ａが形成されている。電池枠５とスイッチばね８の間に配置されたスイッチ基板１３は、電池枠５とスイッチばね８がフック留めされて固定される。【選択図】  図１
2006234435.tif 000002
【特許請求の範囲】
【請求項１】
ＩＣを備える回路基板と断面的に分離した位置にスイッチ基板を設けた携帯型電子時計において、
前記スイッチ基板を電池枠とスイッチばねとの間に配置し、且つ前記スイッチばねの端部を前記電池枠又はパネル枠の少なくともいずれか一方に係止させて前記スイッチ基板を固定したことを特徴とする携帯型電子時計。
【請求項２】
前記スイッチばねの端部を前記電池枠又はパネル枠の少なくともいずれか一方にに係止させる手段はフック留めであることを特徴とする請求項１の携帯型電子時計。
【請求項３】
前記フック留めは、スイッチばねの端部に形成されたフック係止窓と、前記電池枠又はパネル枠の少なくともいずれか一方にに形成されたフックによって行われることを特徴とする請求項２の携帯型電子時計。
【発明の詳細な説明】
【技術分野】
【０００１】
本発明は携帯型電子時計であって、ＩＣを備える回路基板と断面的に分離した位置にスイッチ基板を設けたフロントスイッチを有する携帯型電子時計に関するものである。
【背景技術】
【０００２】
多機能の携帯型電子時計は、一般に、外装ケースの側面側に配置されたスイッチと時刻等が表示される表示面側に配置されたスイッチを備えている。前者のスイッチは、フロントスイッチと呼ばれている。
【０００３】
特開２００１−２７２４８５号公報（特許文献１）の図８に示す従来のフロントスイッチ構造は、ユーザーに押下されるフロントボタン１０と、このフロントボタン１０と一体成型されたシャフト２０と、シャフト２０に巻装されたコイルばね３０とにより構成されている。フロントボタン１０とコイルばね３０は、外装カバーの表側開口の周縁部である胴１０１に形成された凹部２１０に収納されている。フロントボタン１０と凹部２１０の底面の間に配置されたコイルばね３０は、フロントボタン１０を上方向に付勢している。コイルばね３０の付勢力に抗してフロントボタン１０が押下されると、シャフト２０の先端に取り付けられている導通部材２１が回路基板２５０のスイッチ接点２２に接触する。これによって、それまでオフ状態であったフロントスイッチはオン状態に切り替わる。この従来のフロントスイッチ構造において、回路基板２５０上にスイッチ接点２２を配置すると、フロントスイッチのフロントボタン１０は表示面よりも高くなる。このため、携帯型電子時計の外形上のデザインの自由度が大幅に制限されるという問題があった。
【０００４】
そこで、携帯型電子時計の外形上のデザインの自由度が制限されないフロントスイッチ構造として、図２に示す如きものが開発された。即ち、図示しないＩＣを備える回路基板７と、回路基板７と断面的に分離したスイッチ基板１３と、これら両基板を導通させている導通コイルばね１５と、フロントボタン１０を含んで構成された携帯型電子時計である。
【０００５】
このフロントスイッチの操作部は、スイッチ部を外装ケース１の外から操作する操作部であって、外装ケース１に形成された段付貫通穴１ａに挿入配置されている。段付貫通穴１ａは外側に大径円筒部を内側に小径円筒部を有する。
【０００６】
前記操作部は、フロントボタン１０とコイルばね１１及びシャフト１２とで構成されている。コイルばね１１は、段付貫通穴１ａの大径円筒部に配置されている。そして、フロントボタン１０が上端に固着されたシャフト１２は、段付貫通穴１ａの大径円筒部から小径円筒部を貫通し、軸方向に移動可能にして配置されている。すると、シャフト１２の下端は、所定距離を隔ててラバースイッチ14と対向している。
【０００７】
前記スイッチ部は、スイッチパターンが形成されたスイッチ基板１３と、スイッチ基板１３のスイッチパターン上の所定位置に固定されたラバースイッチ１４とで構成されている。ラバースイッチ１４が取り付けられたスイッチ基板１３は、導通コイルばね１５を電池枠５に貫通して形成されたコイルばね取付け穴に挿入した後に、電池枠５のスイッチ取り付け凹部に配置される。
【０００８】
そして、スイッチ基板１３は、スペーサとクッションとして機能する板状の弾性部材１７を介して、裏蓋３で電池枠５に押さえ込まれる。このようにして、スイッチ基板１３は、外装ケース1内に収納され、固定される。
【０００９】
上述の如き構成であるので、従来のフロントスイッチ構造を採用した携帯型電子時計は、フロントスイッチのフロントボタンが表示面よりも低いので、外形上のデザインの自由度が制限されないものである。しかしながら、上述の従来のフロントスイッチ構造を採用した携帯型電子時計は、裏蓋を締めなければスイッチ基板が外装ケース内に固定されず、組立て難いという問題があった。また、モジュール状態でフロントスイッチの動作検査ができないという問題もあった。
【００１０】
【特許文献１】特開２００１−２７２４８５号公報
【発明の開示】
【発明が解決しようとする課題】
【００１１】
本発明が解決しようとする課題は、回路基板と断面的に分離した位置にスイッチ基板を設けた携帯型電子時計において、外装ケースに配置されるフロントボタンを表示面と同じ高さ、あるいは、表示面よりも低くすると共に、簡単な構成で裏蓋を閉めなくてもスイッチ基板を固定できるようにすることである。
【課題を解決するための手段】
【００１２】
上述の課題を解決するために、ＩＣを備える回路基板と断面的に分離した位置にスイッチ基板を設けた携帯型電子時計において、前記スイッチ基板を電池枠とスイッチばねとの間に配置し、且つ前記スイッチばねを前記電池枠又はパネル枠の少なくともいずれか一方にフック留めして固定した。
【発明の効果】
【００１３】
本発明により、外装ケースに配置されるフロントボタンを表示面と同じ高さ、あるいは、表示面よりも低くすると共に、簡単な構成で裏蓋を閉めなくてもスイッチ基板を固定できるようになった。言い換えれば、モジュール化をすることができるので、裏蓋を閉めなくてもスイッチ基板を固定することできる。また、裏蓋を閉める前の状態で、フロントスイッチの動作検査が可能になり、組立て後に不具合の発見ができるようになった。更に、従来の携帯用電子時計においてスイッチ基板と裏蓋との間に配置されていた弾性部材が不要になり、部品点数減も実現できた。
【発明を実施するための最良の形態】
【００１４】
本発明は、ＩＣを備える回路基板と断面的に分離した位置にスイッチ基板を設けた携帯型電子時計において、前記スイッチ基板を電池枠とスイッチばねとの間に配置し、且つ前記スイッチばねを前記電池枠に固定したものである。
【実施例１】
【００１５】
本発明の実施例１の要部断面図である図１において、携帯型電子時計の外装ケース１の内部には時計ムーブメントの構成部品が収納され、その表側開口はカバーガラス２で、且つその裏側開口は裏蓋３でそれぞれ封止されている。
【００１６】
フロントスイッチ構造は、図示しないＩＣを備える回路基板７と、回路基板７と断面的に分離したスイッチ基板１３と、これら両基板を導通させている導通コイルばね１５と、スイッチ基板１３のパターンと接触させてスイッチをオンさせるラバースイッチ１４と、ラバースイッチ１４を外部から押圧する外部操作部材であるフロントボタン１０とで構成されている。
【００１７】
フロントスイッチの操作部は、スイッチ部を外装ケース１の外から操作する操作部であって、外装ケース１に形成された段付貫通穴１ａに挿入配置されている。段付貫通穴１ａは外側に大径円筒部を内側に小径円筒部を有する。
【００１８】
前記操作部は、フロントボタン１０とコイルばね１１及びシャフト１２とで構成されている。コイルばね１１は、段付貫通穴１ａの大径円筒部に配置されている。そして、フロントボタン１０が上端に固着されたシャフト１２は、段付貫通穴１ａの大径円筒部から小径円筒部を貫通し、軸方向に移動可能にして配置されている。シャフト１２の下端は、所定距離を隔ててラバースイッチ１４と対向している。
【００１９】
前記スイッチ部は、スイッチパターンが形成されたスイッチ基板１３と、スイッチ基板１３のスイッチパターン上の所定位置に固定されたラバースイッチ１４とで構成されている。ラバースイッチ１４が取り付けられたスイッチ基板１３は、導通コイルばね１５を電池枠５に貫通して形成された導通コイルばね取付け穴に挿入した後に、電池枠５のスイッチ基板取り付け凹部に配置される。そして、このようにして配置されたスイッチ基板１３は、パネル枠２と電池枠５を嵌め合わせて、スイッチばね８をフック係止窓８ａにひかっけることで、パネル枠２と電池枠５が固定されることで、パネル枠２に固定される。
また、スイッチばね８をフック係止窓８ａにひかっけずに、直接外装ケース１内に仮固定するようにしても良い。
【００２０】
スイッチばね８は、りん青銅、ステンレス鋼のような弾性変形可能な金属で作られている。スイッチばね８は電子時計に必須の構成部材であって、パネル枠２に対して固定するための取付け用フック部分と、電池９の陽極に接触するための電池プラス端子などを有する。
【００２１】
スイッチ基板１３を固定するために、スイッチばね８は電池９が収納された電池収納凹部の端部からスイッチ基板１３の下面の外側まで平面的に延伸され、更にスイッチ基板１３の外側において上側に直角に曲げられた弾性端部を有する。スイッチばね８の前記弾性端部にはフック係止窓８ａが形成され、樹脂製の電池枠５にはフック５ａが形成されている。フック５ａは断面三角形状の突起であって、樹脂製の電池枠と一体に成型されている。フック５ａの形成位置は、スイッチばね８の端部に形成されているフック係止窓８ａに対向する電池枠５の箇所である。
【００２２】
組立は、電池枠５のスイッチ取り付け凹部にスイッチ基板１３を配置した後に、スイッチばね８をムーブメントの裏側から組み込む。スイッチばね８の端部に形成されているフック係止窓８ａは電池枠５のフック５ａに係止する。このようにして、スイッチ基板１３は、固定される。なお、外装ケース１内に仮固定されたスイッチ基板１３の場合は、裏蓋３を閉じると外装ケース１内にしっかりと固定される。
【００２３】
このようにして、電池枠５とスイッチばね８の間に配置されたスイッチ基板１３は、電池枠５とスイッチばね８がフック留めされて固定される。従って、スイッチ基板１３の外装ケース１内の断面位置が固定され、フロントスイッチ構造が一つのユニットとなる。そして、このユニットは、回路基板７と表示パネル６とパネル枠２とセットにされてモジュール化される。このモジュール化により、組立て時に裏蓋３を閉める前の状態のままで流動が可能となり、作業効率が高まった。また、裏蓋３を閉める前の状態で、フロントスイッチの動作検査が可能になり、組立て後に不具合の発見ができるようになった。更に、電子時計に必須の部材であるスイッチばね８をスイッチ基板１３の仮固定用部材に兼用し、従来の電池の接続構造においてスイッチ基板１３と裏蓋３との間に配置されていた弾性部材１７を不要としたので、部品点数減も実現できた。
また、電池枠５とスイッチばね８の間に配置されたスイッチ基板１３は、パネル枠２とスイッチばね８がフック留めされて固定されるようにしても良い。あるいは、電池枠５とスイッチばね８の間に配置されたスイッチ基板１３は、電池枠５とパネル枠２の両方にスイッチばね８がフック留めされて固定されるようにしても良い。
【図面の簡単な説明】
【００２４】
【図１】本発明の実施例１の携帯型電子時計のフロントスイッチ構造の主要部の断面図である。
【図２】従来の携帯型電子時計のフロントスイッチ構造の主要部の断面図である。
【符号の説明】
【００２５】
１  外装ケース
２  パネル枠
３  裏蓋
４  カバーガラス
５  電池枠
５ａ  フック
６  表示パネル
７  回路基板
８  スイッチばね
８ａ  フック係止窓
９  電池
１０  フロントボタン
１１  ばね
１２  シャフト
１３  スイッチ基板
１４  ラバースイッチ
１５  導通コイルばね
１６  パッキン
【図１】
2006234435.tif 000003
【図２】
2006234435.tif 000004